(57)【特許請求の範囲】
【請求項１】
１本の鋏の刃部が挿入されて収納されるケースと、該ケースが着脱可能に取り付けられる基台とを有する鋏スタンドであって、
該ケースの先端には突起体が設けられ、該基台には該突起体が嵌入される嵌入穴が凹設され、
該突起体は球体であり、該嵌入穴内において摺動回動可能であり、
該嵌入穴の開口部には、該開口部の内周全体に中心方向に僅かに突出する環状凸部が形成され、該環状凸部の径は、該突起体の径より僅かに小さくなっていることにより、
該鋏を持って引き出す場合には、該鋏のみが取り出され、
該ケースを持って引き出す場合には、該ケースと該鋏とが取り出されることを特徴とする鋏スタンド。
【請求項２】
前記突起体には、紐を貫通可能な貫通孔が貫設されていることを特徴とする請求項１記載の鋏スタンド。
【請求項３】
前記基台の前記嵌入穴が凹設された面と反対側の面には、該基台が取付面に固着される固着手段が設けられていることを特徴とする請求項１又は２記載の鋏スタンド。
【請求項４】
前記固着手段は、ゴム又は熱可塑性エラストマ−であることを特徴とする請求項３記載の鋏スタンド。
【請求項５】
前記基台は略半球状をなし、中空半球状の半球面部と円板状の底面部とからなり、該半球面部には前記嵌入穴が凹設され、該底面部には前記固着手段を取り付け可能な取付穴が凹設されていることを特徴とする請求項３又は４記載の鋏スタンド。
【請求項６】
前記半球面部は、前記嵌入穴が形成されたカップ状の嵌入穴部と、該嵌入穴部が包み込まれる半球面本体とが一体化されていることを特徴とする請求項５記載の鋏スタンド。
【請求項７】
前記基台は、円錐台状の台座部と、該台座部の上部から突出する円柱状の受け部とからなり、
該受け部の先端には前記嵌入穴が凹設され、該台座部の底面には前記固着手段を取り付け可能な取付穴が凹設されていることを特徴とする請求項３又は４記載の鋏スタンド。
【発明の詳細な説明】
【技術分野】
【０００１】
本発明は、鋏の刃部が挿入されて収納されるケースと、このケースが着脱可能に取り付けられる基台とからなる鋏スタンドに関する。
【背景技術】
【０００２】
一般に、鋏を収納するには、例えば特許文献１に示されるペン立てが用いられ、鋏はボールペン等の筆記用具とともに収納される。このペン立てによれば、ボールペン等の筆記用具も同時に使用することができ便利である。
【先行技術文献】
【特許文献】
【０００３】
【特許文献１】特開２００７−７９２４号公報
【発明の概要】
【発明が解決しようとする課題】
【０００４】
しかし、鋏を鋏スタンドに迅速に収納及び取り出しをしたい場合がある。この場合、上記従来のペン立てを鋏スタンドとして使用したのでは、迅速に鋏の収納及び取り出しができなくなる。すなわち、ペン立てにボールペン等の筆記用具も一緒に収納されている場合には、ペン立て内が煩雑になり、鋏の収納及び取り出しが迅速にできない。また、ペン立てに鋏のみ単独で収納されている場合であっても、ペン立ての開口部が広いため鋏全体の傾きが一定しなかったり、鋏のハンドルがペン立て内に入り込んだりして、やはり鋏を取り出し難くなる。さらに、ペン立てに収納されたケース付きの鋏から鋏だけを取り出したい場合には、ペン立てからケース付きの鋏を取り出した後、ケースから鋏を取り出さなければならず面倒である。その上、ペン立ては作業机等の上に置かれているため、鋏を収納する場合はペン立ての上方から下方に向かって収納し、鋏を取り出す場合はペン立ての上方に向かって取り出さなければならず、鋏の収納、取り出し方向が限られてしまい、これも鋏の収納及び取り出しが迅速にできなくなる要因の１つになる。
【０００５】
本発明はかかる従来の問題点に鑑みてなされたものであり、鋏の収納及び取り出しがし易い鋏スタンドを提供するものである。
【課題を解決するための手段】
【０００６】
上記の課題を解決するために、請求項１に係る鋏スタンドの特徴は、１本の鋏の刃部が挿入されて収納されるケースと、該ケースが着脱可能に取り付けられる基台とを有する鋏スタンドであって、該ケースの先端には突起体が設けられ、該基台には該突起体が嵌入される嵌入穴が凹設され、該突起体は球体であり、該嵌入穴内において摺動回動可能であり、該嵌入穴の開口部には、該開口部の内周全体に中心方向に僅かに突出する環状凸部が形成され、該環状凸部の径は、該突起体の径より僅かに小さくなっていることにより、該鋏を持って引き出す場合には、該鋏のみが取り出され、該ケースを持って引き出す場合には、該ケースと該鋏とが取り出されることである。
【０００８】
請求項２に係る鋏スタンドの特徴は、前記突起体には、紐を貫通可能な貫通孔が貫設されていることである。
【０００９】
請求項３に係る鋏スタンドの特徴は、前記基台の前記嵌入穴が凹設された面と反対側の面には、該基台が取付面に固着される固着手段が設けられていることである。
【００１０】
請求項４に係る鋏スタンドの特徴は、前記固着手段は、ゴム又は熱可塑性エラストマ−であることである。
【００１１】
請求項５に係る鋏スタンドの特徴は、前記基台は略半球状をなし、中空半球状の半球面部と円板状の底面部とからなり、該半球面部には前記嵌入穴が凹設され、該底面部には前記固着手段を取り付け可能な取付穴が凹設されていることである。
【００１２】
請求項６に係る鋏スタンドの特徴は、前記半球面部は、前記嵌入穴が形成されたカップ状の嵌入穴部と、該嵌入穴部が包み込まれる半球面本体とが一体化されていることである。
【００１３】
請求項７に係る鋏スタンドの特徴は、前記基台は、円錐台状の台座部と、該台座部の上部から突出する円柱状の受け部とからなり、該受け部の先端には前記嵌入穴が凹設され、該台座部の底面には前記固着手段を取り付け可能な取付穴が凹設されていることである。
【発明の効果】
【００１４】
請求項１に係る鋏スタンドは、１本の鋏の刃部が挿入されて収納されるケースと、このケースが着脱可能に取り付けられる基台とを有している。ケースには１本の鋏の刃部が挿入されてぴったりと収納されるため、他の文房具等が一緒に収納されることがなく、ケース内が煩雑になることがない。また、ケースの先端には突起体が設けられ、基台には突起体が嵌入される嵌入穴が凹設されている。そして、鋏を持って引き出す場合には鋏のみが取り出され、ケースを持って引き出す場合にはケースと鋏とが取り出される。そのため、鋏のみを持って引き出せば直ちに鋏を使用することができ、使い勝手が非常によい。また、ケースを持って引き出せばケースに収納された状態の鋏を取り出すことができ、鋏をケースに入れたまま安全に持ち運ぶことができる。したがって、この鋏スタンドによれば、鋏の収納及び取り出しがし易い。なお、「基台」には、直方体、立方体、円柱、半球、円錐台、角錐台等いろいろな形状をなすものが含まれる。さらには、テープカッター等の文房具や事務用品、作業台、机等、嵌入穴が凹設され得るすべてのものも「基台」に含まれる。更に、突起体は球体であり、嵌入穴内において摺動回動可能であるため、ケースの方向、及び角度を広範囲に自由に変えることができ、より鋏の収納及び取り出しがし易くなる。
【００１６】
請求項２に係る鋏スタンドにおいては、突起体には紐を貫通可能な貫通孔が貫設されている。そのため、突起体の貫通孔に紐を貫通させ、この紐を突起物等に引っ掛ければ、ケースに収納された状態の鋏を突起物等に掛けておくことができる。
【００１７】
請求項３に係る鋏スタンドにおいては、基台の嵌入穴が凹設された面と反対側の面には、基台が取付面に固着される固着手段が設けられている。そのため、鋏スタンドを作業台等の表面だけでなく、裏面にも取り付けることができる。さらには、鋏スタンドを壁面にも取り付けることができる。これにより、鋏の収納、及び取り出し方向が自由になり、作業効率が向上する。なお、「取付面」とは、作業台や机の表面だけでなく、作業台や机の裏面、壁面、文房具の表面等の基台が取り付け可能なすべての面をいう。
【００１８】
請求項４に係る鋏スタンドにおいては、固着手段がゴム、又は熱可塑性エラストマーであるため、鋏が収納された鋏スタンドを取付面に強力に固着させることができる。
【００１９】
請求項５に係る鋏スタンドにおいては、基台は、嵌入穴が凹設された中空半球状の半球面部と、固着手段を取り付け可能な取付穴が凹設された円板状の底面部とからなっている。そのため、単純な形状であり、安価に製造することができる。なお、本明細書において、「略半球状」には、半球状の他、円錐台状等の形状も含まれる。
【００２０】
請求項６に係る鋏スタンドにおいては、半球面部が嵌入穴が形成されたカップ状の嵌入穴部と、嵌入穴部が包み込まれる半球面本体とが一体化されている。そのため、半球面本体には硬質の材質の樹脂を用いるとともに、嵌入穴部には弾力性のある材質の樹脂を用いることができ、鋏スタンドの機能を十分に発揮させることができる。なお、嵌入穴部と半球面本体とを一体化する方法は、特に限定されず、二重成形による方法、接着剤により固定する方法、押圧して嵌着する方法等がある。
【００２１】
請求項７に係る鋏スタンドにおいては、基台が円錐台状の台座部と、台座部の上部から突出する円柱状の受け部とからなっている。そして、受け部の先端には嵌入穴が凹設され、台座部の底面には固着手段を取り付け可能な取付穴が凹設されている。そのため、鋏スタンドの機能を十分に発揮させることができるほか、受け部が台座部から斜めに突出していれば、ケースを取付面に対して平行に近づけても台座部に当接することがなく、取付面に対するケースの角度をさらに広範囲に自由に変えることができる。
【図面の簡単な説明】
【００２２】
【図１】実施形態１の鋏スタンドの正面図。
【図２】実施形態１の鋏スタンドに係り、ケースの正面図。
【図３】実施形態１の鋏スタンドに係り、基台の正面図。
【図４】実施形態１の鋏スタンドに係り、基台の平面図。
【図５】実施形態１の鋏スタンドに係り、基台の底面図。
【図６】実施形態１の鋏スタンドに係り、図４におけるＶＩ―ＶＩ矢視断面図。
【図７】実施形態１の鋏スタンドに係り、鋏を収納した鋏スタンドの正面図。
【図８】実施形態１の鋏スタンドに係り、鋏スタンドから鋏を取り出した状態を示す図。
【図９】実施形態１の鋏スタンドに係り、鋏スタンドからケースに収納された鋏を取り出した状態を示す図。
【図１０】実施形態１の鋏スタンドに係り、鋏を収納した鋏スタンドを取付面に取り付けた図。
【図１１】実施形態２の鋏スタンドの正面図。
【図１２】実施形態２の鋏スタンドに係り、基台の正面図。
【図１３】実施形態２の鋏スタンドに係り、基台の平面図。
【図１４】実施形態２の鋏スタンドに係り、図１３におけるＸＩＶ―ＸＩＶ矢視断面図。
【発明を実施するための形態】
【００２３】
本発明に係る鋏スタンドを具体化した実施形態１、２を図面に基づいて以下に説明する。図１は実施形態１の鋏スタンド１、２の正面図であり、図２はケース１の正面図である。図１に示すように、この鋏スタンドはケース１と基台２とを有している。図２にも示すように、ケース１には１本の鋏９０の刃部が挿入されて確実に収納される。そして、鋏９０を収納したままケース１を回転させてもケース１から鋏９０が抜け出ることはないが、鋏９０を引き抜けばケース１から鋏９０を容易に取り出すことができるようになっている。なお、ケース１の材質はポリプロピレン、ＡＢＳ樹脂等であることが好ましい。
【００２４】
また、ケース１の先端には球体状の突起体１１が設けられ、基台２の中央部には嵌入穴２２ａが凹設されている。この突起体１１が嵌入穴２２ａに嵌入され、嵌入穴２２ａ内において摺動回動可能になっている。そのため、ケース１内に収納された鋏９０はケース１とともに方向、及び角度を自由に変えることができる。さらには、ケース１を持って突起体１１を嵌入穴２２ａから引き出せば、ケース１に収納された状態の鋏９０を基台２から片手で簡単に取り外すことができる。このため、ケース１に収納された状態の鋏９０を自由に持ち運ぶことができる。また、突起体１１には貫通孔１１ａが貫設されている。この貫通孔１１ａに紐を通してループ状にすれば、紐を突起物等に引っ掛けることができ、ケース１に収納された状態の鋏９０を突起物等に掛けておくことができる。
【００２５】
基台２の嵌入穴２２ａが凹設された面と反対側の面には、固着手段としてのブタジエンゴム２９が取り付けられている。このブタジエンゴム２９を机９５の上面９５ａに圧着させることにより、基台２を上面９５ａに確実に固着させることができる。そして、ブタジエンゴム２９の接着力に抗して基台２を上面９５ａから引き離せば、鋏スタンド１、２を上面９５ａから取り外すことができる。ここで、上面９５ａが「取付面」である。なお、本実施形態１においては、固着手段としてブタジエンゴム２９を採用しているが、これ以外にその他のゴム又は熱可塑性エラストマーを用いてもよい。また、上面９５ａの種類により吸盤や磁石を使うこともできる。
【００２６】
次に、基台２について、図３から図６を用いて詳細に説明する。図３は基台２の正面図、図４は基台２の平面図である。また、図５は基台２の底面図、図６は基台２の断面図である。図３から図６に示すように、基台２は略半球状をなし、中空半球状の半球面部２０と円板状の底面部２５とからなっている。半球面部２０には嵌入穴２２ａが凹設され、底面部２５にはブタジエンゴム２９を取り付け可能な取付穴２５ａが凹設されている。このように、基台２は単純な形状であり、安価に製造することができる。
【００２７】
また、半球面部２０は、嵌入穴２２ａが形成されたカップ状の嵌入穴部２２と、嵌入穴部２２が包み込まれる半球面本体２１とが二重成形により一体化されている。嵌入穴部２２の開口部には、開口部の内周全体に中心方向に僅かに突出する環状凸部２２ｂが形成されている。この環状凸部２２ｂの径は、突起体１１の径より僅かに小さくなっている。そのため、半球面本体２１には硬質の材質の樹脂を用いるとともに、嵌入穴部２２には弾力性のある材質の樹脂を用いることができ、鋏スタンド１、２の機能を十分に発揮させることができる。すなわち、半球面本体２１には、例えばＡＢＳ樹脂等の硬質の材質の樹脂を用いることにより、外力に対して基台２の形状を維持することができる。また、嵌入穴部２２には、例えば熱可塑性エラストマー等の弾力性のある材質の樹脂を用いることにより、ケース１の突起体１１を安定して保持することができるため、ケース１が基台２に取り付けられた状態を確実に維持することができる。さらには、突起体１１の嵌入穴２２ａへの嵌入、及び取り出しに際しては、嵌入穴２２ａが適度の弾性力をもって変形するため、ケース１を基台２へ容易に取り付け、取り外しできる。
【００２８】
また、底面部２５の取付穴２５ａが設けられた面と反対側の面には、嵌入穴部２２の底部と半球面本体２１の底部とを支持する６枚の補強板２６が立設されている。この補強板２６により、ケース１の突起体１１が基台２の嵌入穴２２ａに強い力で嵌入された場合であっても、基台２の破損を防止することができる。なお、半球面部２０の形状は半球状の他、円錐台状、角錐台等であってもよい。
【００２９】
以上の構成をした鋏スタンドの使用方法について説明する。図７は、鋏９０を鋏スタンド１、２に収納した状態を示している。鋏スタンド１、２には１本の鋏９０の刃部がケース１に挿入されてぴったりと収納されているため、他の文房具等が一緒に収納されることがなく、ケース１内が煩雑になることがない。また、この状態において、鋏スタンド１、２を回転させてもケース１から鋏９０が抜け出ることはない。さらに、ケース１は先端に取り付けられた突起体１１が基台２の嵌入穴２２ａ内において摺動回動可能であるため、鋏９０とケース１との方向、及び角度を自由に変えることができる。
【００３０】
図８は、鋏スタンド１、２から鋏９０を取り出した状態を示している。図７に示す状態において鋏９０を片手で持って引き出せば、図８に示すように、鋏９０のみが取り出される。その場合、ケース１は基台２に固着されたままである。また、図７に示す状態において、鋏９０とケース１との方向、及び角度を変えてから、鋏スタンド１、２から鋏９０を取り出すことができるため、鋏９０を取り出し易くなっている。さらには、鋏９０を収納する場合には、鋏９０の刃先でケース１の方向、及び角度を変えつつ鋏９０をケース１に片手で差し込むことができるため、鋏９０の収納もし易くなっている。このように、鋏９０、又は鋏９０とケース１の収納及び取り出しが片手で簡単にできるため、片手の不自由な者であっても取り扱いが容易である。さらには、一方の手で作業をしつつ、他方の手で鋏９０、又は鋏９０とケース１の収納及び取り出しを行うことができ、便利であるだけでなく作業効率も向上する。
【００３１】
図９は、鋏スタンド１、２からケース１に収納された鋏９０を取り出した状態を示している。図７に示す状態においてケース１を持って引き出せば、図９に示すように、ケース１に収納された状態の鋏９０を取り外すことができる。このケース１に収納された状態の鋏９０を、例えば、筆入れに入れて自由に持ち運ぶことができる。また、突起体１１の貫通孔１１ａに紐を通してループ状にすれば、紐を突起物等に引っ掛けることができ、ケース１に収納された状態の鋏９０を突起物等に掛けておくことができる。
【００３２】
図１０は、鋏９０を収納した鋏スタンド１、２を作業台９１の表面９１ａ、作業台９１の裏面９１ｂ、及び壁面９２に取り付けた状態を示している。ここで、表面９１ａ、裏面９１ｂ、壁面９２が「取付面」である。基台２の底面部２５に凹設された取付穴２５ａに取り付けられたブタジエンゴム２９により、鋏スタンド１、２が表面９１ａ、裏面９１ｂ、壁面９２に確実に固着される。そのため、鋏９０を取り出しやすい場所に鋏スタンド１、２を取り付けることができるだけでなく、邪魔にならない場所に取り付けることもできる。
【００３３】
実施形態１の鋏スタンド１、２によれば、１本の鋏９０の刃部が挿入されて収納されるケース１と、このケース１が着脱可能に取り付けられる基台２とを有している。ケース１には１本の鋏９０の刃部が挿入されてぴったりと収納されるため、他の文房具等が一緒に収納されることがなく、ケース１内が煩雑になることがない。また、ケース１の先端には突起体１１が設けられ、基台２の中央部には突起体１１が嵌入される嵌入穴２２ａが凹設されている。そして、鋏９０を持って引き出す場合には鋏９０のみが取り出され、ケース１を持って引き出す場合にはケース１と鋏９０とが取り出される。そのため、鋏９０のみを持って引き出せば直ちに鋏９０を使用することができ、使い勝手が非常によい。また、ケース１を持って引き出せばケース１に収納された状態の鋏９０を取り出すことができ、鋏９０をケース１に入れたまま安全に持ち運ぶことができる。さらに、鋏９０のみの収納、取り出し、及びケース１と鋏９０との収納、取り出しをすべて片手で行うことができるため、非常に便利である。したがって、この鋏スタンドによれば、鋏９０の収納及び取り出しがし易い。
【００３４】
また、この鋏スタンド１、２は、突起体１１が球体であり、嵌入穴２２ａ内において摺動回動可能であるため、上面９５ａ、表面９１ａ、裏面９１ｂ、壁面９２に対するケース１の方向、及び角度を広範囲に自由に変えることができ、より鋏９０の収納及び取り出しがし易くなる。
【００３５】
また、この鋏スタンド１、２においては、突起体１１には紐を貫通可能な貫通孔１１ａが貫設されている。そのため、突起体１１の貫通孔１１ａに紐を貫通させ、この紐を突起物等に引っ掛ければ、ケース１に収納された状態の鋏９０を突起物等に掛けておくことができる。
【００３６】
また、基台２の嵌入穴２２ａが凹設された面と反対側の面には、基台２が机９５の上面９５ａに固着されるブタジエンゴム２９が設けられている。そのため、鋏スタンド１、２を作業台９１の表面９１ａ、及び裏面９１ｂにも取り付けることができるのみならず、壁面９２にも取り付けることができる。これにより、鋏９０の収納、及び取り出し方向が自由になり、作業効率が向上する。
【００３７】
さらに、この鋏スタンド１、２においては、固着手段がブタジエンゴム２９であるため、鋏９０が収納された鋏スタンド１、２を上面９５ａ、表面９１ａ、裏面９１ｂ、壁面９２に強力に固着させることができる。
【００３８】
また、この鋏スタンド１、２においては、基台２は、嵌入穴２２ａが凹設された中空半球状の半球面部２０と、ブタジエンゴム２９を取り付け可能な取付穴２５ａが凹設された円板状の底面部２５とからなっている。そのため、単純な形状であり、安価に製造することができる。
【００３９】
さらに、この鋏スタンド１、２においては、半球面部２０が嵌入穴２２ａが形成されたカップ状の嵌入穴部２２と、嵌入穴部２２が包み込まれる半球面本体２１とが二重成形により一体化されている。そのため、半球面本体２１には硬質の材質の樹脂を用いるとともに、嵌入穴部２２には弾力性のある材質の樹脂を用いることができ、鋏スタンド１、２の機能を十分に発揮させることができる。
【００４０】
次に、実施形態２の鋏スタンドについて、図１１から図１４を用いて説明する。ただし、実施形態１の構成と同様の構成については、同一の符号を用いるものとし、その説明を省略する。図１１は鋏入れ１、３の正面図、図１２は基台３の正面図である。また、図１３は基台３の平面図、図１４は基台３の断面図である。図１１に示すように、実施形態２の鋏スタンド１、３は、ケース１と基台３とからなっている。
【００４１】
図１２から図１４にも示すように、基台３は円錐台状の台座部３０と、台座部３０の上部から机９５の上面９５ａに対し角度θで斜めに突出する円柱状の受け部３１とが一体に形成されている。ここで、台座部３０及び受け部３１の材質は同じものであり、ＡＢＳ樹脂、ポリプロピレン、ポリエチレン等である。また、受け部３１の先端には嵌入穴３１ａが凹設されている。この嵌入穴３１ａは、開口部から底部に向かって次第に広くなっている。そして、開口部の径は、突起体１１の径より僅かに小さくなっている。これにより、ケース１を基台３へ容易に取り付け、取り外しできるとともに、ケース１の突起体１１を安定して保持することができる。また、嵌入穴３１ａ内において突起体１１が摺動回動可能になっている。なお、ケース１と上面９５ａとの角度は、受け部３１と上面９５ａとの角度θと同じである。この角度θは４０度から８０度が好ましい。
【００４２】
台座部３０の底面には、固着手段としてのブタジエンゴム２９が取り付けられる取付穴３０ａが凹設されている。取付穴３０ａに取り付けられたブタジエンゴム２９を上面９５ａに圧着させることにより、上面９５ａに基台３を確実に固着させることができる。そして、基台３をブタジエンゴム２９の接着力に抗して上面９５ａから引き離せば、鋏スタンド１、３を上面９５ａから取り外すことができる。
【００４３】
実施形態２の鋏スタンド１、３によれば、基台３が円錐台状の台座部３０と、台座部３０の上部から斜めに突出する円柱状の受け部３１とからなっている。そして、受け部３１の先端には嵌入穴３１ａが凹設され、台座部３０の底面にはブタジエンゴム２９を取り付け可能な取付穴３０ａが凹設されている。そのため、ケース１を机９５の上面９５ａに対して平行に近づけても台座部３０に当接することがなく、上面９５ａに対するケース１の角度θをさらに広範囲に自由に変えることができる。その他の作用、効果は実施形態１と同様である。
【００４４】
以上、本発明の鋏入れを実施形態１、２に即して説明したが、本発明はこれらに制限されるものではなく、本発明の技術的思想に反しない限り、適宜変更して適用できることはいうまでもない。例えば、実施形態１においては、嵌入穴２２ａが凹設された略半球状の基台２を採用しているが、円錐台状等の他の形状の基台を採用してもよい。また、実施形態２においては受け部３１が机９５の上面９５ａに対し角度θで斜めに突出しているが、受け部３１が机９５の上面９５ａに対し垂直に突出していてもよい。さらには、実施形態１、２とも独立した基台２、３を採用しているが、例えば、文房具のテープカッターの表面に嵌入穴を設けて、テープカッター自体を基台としてもよい。
【符号の説明】
【００４５】
１…ケース、２、３…基台、１１…突起体、１１ａ…貫通孔、２０…半球面部、２１…半球面本体、２２…嵌入穴部、２２ａ、３１ａ…嵌入穴、２５…底面部、２５ａ、３０ａ…取付穴、２９…固着手段（ブタジエンゴム）、３０…台座部、３１…受け部、９０…鋏、９１ａ、９１ｂ、９２、９５ａ…取付面（９１ａ…表面、９１ｂ…裏面、９２…壁面、９５ａ…上面）。
【要約】
【課題】鋏の収納及び取り出しがし易い鋏スタンドを提供する。
【解決手段】１本の鋏９０の刃部が挿入されて収納されるケース１と、ケース１が着脱可能に取り付けられる基台２とを有する鋏スタンドである。ケース１の先端には突起体１１が設けられ、基台２には突起体１１が嵌入される嵌入穴２２ａが凹設されている。そして、鋏９０を持って引き出す場合には鋏９０のみが取り出され、ケース１を持って引き出す場合にはケース１と鋏９０とが取り出される。
【選択図】図１【図１】
0006690884.tif 000002
【図２】
0006690884.tif 000003
【図３】
0006690884.tif 000004
【図４】
0006690884.tif 000005
【図５】
0006690884.tif 000006
【図６】
0006690884.tif 000007
【図７】
0006690884.tif 000008
【図８】
0006690884.tif 000009
【図９】
0006690884.tif 000010
【図１０】
0006690884.tif 000011
【図１１】
0006690884.tif 000012
【図１２】
0006690884.tif 000013
【図１３】
0006690884.tif 000014
【図１４】
0006690884.tif 000015